(57)【特許請求の範囲】
【請求項１】
無線ネットワークコントローラＲＮＣが、ネットワーク内のユーザの発呼プロセスが位置領域の更新及び/又はルーティング領域の更新プロセスであり、少なくとも発呼セルが所属する位置領域のマークＬＡＩ及び位置領域の更新タイプと更新前の元の位置領域のマークＬＡＩを携帯した対応する位置領域の更新情報及び/又は発呼セルが所属するルーティング領域のマークＲＡＩ及びルーティング領域の更新タイプと更新前の元のルーティング領域のマークＲＡＩを携帯した対応するルーティング領域の更新情報、発呼セルのマーク、発呼時刻、ユーザマークを含むユーザログを収集するステップと、
所定の期間内において、前記ユーザログ中の位置領域の更新プロセスがシステム間の位置領域のマークＬＡＩ更新に所属し、及び/又はルーティング領域の更新プロセスがシステム間のルーティング領域のマークＲＡＩ更新に所属するシステム間の再選択回数を統計し、前記所定の期間におけるシステム間の再選択フリークエンシーの統計値を取得するステップと、を含むことを特徴とするシステム間の再選択フリークエンシーの統計方法。
【請求項２】
前記無線ネットワークコントローラＲＮＣが、非アクセス層の位置領域の更新メッセージ及び/又は非アクセス層のルーティング領域の更新メッセージのデコードを支援することを特徴とする請求項１に記載の方法。
【請求項３】
前記無線ネットワークコントローラＲＮＣが、位置領域の更新タイプが正常の位置領域の更新タイプ及び/又はルーティング領域の更新タイプが正常のルーティング領域の更新タイプであるユーザログのみを収集することを特徴とする請求項１に記載の方法。
【請求項４】
ユーザログがルーティング領域の更新情報と位置領域の更新情報を同時に含む場合、位置領域の更新情報のみに従って前記システム間の再選択フリークエンシーの統計を行うことを特徴とする請求項１乃至３のいずれかに記載の方法。
【請求項５】
前記ユーザログ中の位置領域の更新プロセスがシステム間の位置領域のマークＬＡＩ更新に所属し、及び/又はルーティング領域の更新プロセスがシステム間のルーティング領域のマークＲＡＩ更新に所属するシステム間の再選択回数を統計する方法が、
それぞれ、システム間のネットワークモード照合テーブルからユーザログにおける発呼セルが所属する位置領域のマークＬＡＩと位置領域の更新情報中の更新前の元の位置領域のマークＬＡＩに対応するシステムネットワークモードを検索し、両方に対応するシステムネットワークモードが異なると、前記システム間の再選択フリークエンシーの統計値を累積し、
それぞれ、システム間のネットワークモード照合テーブルからユーザログにおける発呼セルが所属するルーティング領域のマークＲＡＩとルーティング領域の更新情報中の更新前の元のルーティング領域のマークＲＡＩに対応するシステムネットワークモードを検索し、両方に対応するシステムネットワークモードが異なると、前記システム間の再選択フリークエンシーの統計値を累積することを特徴とする請求項１に記載の方法。
【請求項６】
各ユーザに前記所定の期間におけるシステム間の再選択フリークエンシーの統計を行って、各ユーザの統計結果記録を生成するステップと、
前記所定の期間におけるユーザによるシステム間の再選択フリークエンシーの統計値が予め設定した異なる早期警戒閾値を超えると、前記統計結果記録で対応する専門家によるヒントを与えるステップと、をさらに含むことを特徴とする請求項１に記載の方法。
【請求項７】
無線ネットワークコントローラＲＮＣが収集したネットワーク内のユーザの発呼プロセスが位置領域の更新及び/又はルーティング領域の更新プロセスであるユーザログ及び前記統計結果記録に基づいて、セル、セル組、端末タイプ、ユーザ組又は期間をキーワードとした多元分類統計を行うステップをさらに含むことを特徴とする請求項６に記載の方法。
【請求項８】
無線ネットワークコントローラＲＮＣに位置され、ネットワーク内のユーザの発呼プロセスが位置領域の更新及び/又はルーティング領域の更新プロセスであり、少なくとも発呼セルが所属する位置領域のマークＬＡＩ及び位置領域の更新タイプと更新前の元の位置領域のマークＬＡＩを携帯した対応する位置領域の更新情報及び/又は発呼セルが所属するルーティング領域のマークＲＡＩ及びルーティング領域の更新タイプ及び更新前の元のルーティング領域のマークＲＡＩを携帯した対応するルーティング領域の更新情報、発呼セルのマーク、発呼時刻、ユーザマークを含むユーザログを収集する収集ブロックと、
所定の期間内において、ユーザログ中の位置領域の更新プロセスがシステム間の位置領域のマークＬＡＩ更新に所属され、及び/又はルーティング領域の更新プロセスがシステム間のルーティング領域のマークＲＡＩ更新に所属されるシステム間の再選択回数を統計し、前記所定の期間におけるシステム間の再選択フリークエンシーの統計値を取得するフリークエンシー統計ブロックと、を備えることを特徴とするシステム間の再選択フリークエンシーの統計装置。
【請求項９】
前記収集ブロックが、位置領域の更新タイプが正常の位置領域の更新タイプ及び/又はルーティング領域の更新タイプが正常のルーティング領域の更新タイプであるユーザログのみを収集し、
前記ユーザログが、ルーティング領域の更新情報と位置領域の更新情報を同時に含むと、前記フリークエンシー統計ブロックは、位置領域の更新情報のみに従って前記システム間の再選択フリークエンシーの統計を行うことを特徴とする請求項８に記載の装置。
【請求項１０】
前記フリークエンシー統計ブロックが、ユーザログ中の位置領域の更新プロセスがシステム間の位置領域のマークＬＡＩ更新に所属し、及び/又はルーティング領域の更新プロセスがシステム間のルーティング領域のマークＲＡＩ更新に所属するシステム間の再選択回数を統計する方法は、
前記フリークエンシー統計ブロックが、それぞれ、システム間のネットワークモード照合テーブルからユーザログにおける発呼セルが所属する位置領域のマークＬＡＩと位置領域の更新情報中の更新前の元の位置領域のマークＬＡＩに対応するシステムネットワークモードを検索し、両方に対応するシステムネットワークモードが同一であるか否かを判定し、異なると前記システム間の再選択フリークエンシーの統計値を累積し、
前記フリークエンシー統計ブロックが、それぞれ、システム間のネットワークモード照合テーブルからユーザログ中の発呼セルが所属するルーティング領域のマークＲＡＩとルーティング領域の更新情報中の更新前の元のルーティング領域のマークＲＡＩに対応するシステムネットワークモードを検索し、両方に対応するシステムネットワークモードが同一であるか否かを判定し、異なると前記システム間の再選択フリークエンシーの統計値を累積することを特徴とする請求項８に記載の装置。
【請求項１１】
前記フリークエンシー統計ブロックは、各ユーザに前記所定の期間におけるシステム間の再選択フリークエンシーの統計を行って、各ユーザの統計結果記録を生成し、前記所定の期間におけるユーザによるシステム間の再選択フリークエンシーの統計値が予め設定した異なる早期警戒閾値を超えると、前記統計結果記録に対応する専門家によるヒントを与えることを特徴とする請求項８に記載の装置。
【請求項１２】
収集ブロックが収集したネットワーク内のユーザの発呼プロセスが位置領域の更新及び/又はルーティング領域の更新プロセスであるユーザログ及びフリークエンシー統計ブロックが生成した統計結果記録に基づいて、セル、セル組、端末タイプ、ユーザ組又は期間をキーワードとした多元分類統計を行う分類統計ブロックをさらに含むことを特徴とする請求項１１に記載の装置。
【発明の詳細な説明】
【技術分野】
【０００１】
本発明は、無線通信システムにおけるデータ収集及び統計技術に関し、具体的に、システム間の再選択フリークエンシーの統計方法及び装置に関する。
【背景技術】
【０００２】
わが国の第３世代移動通信技術（３Ｇ）の営業許可証の発行に伴って、３Ｇの産業用時代への移行が宣告され、第２世代移動通信技術（２Ｇ）ネットワークに比べて、３Ｇネットワークと機器の産業用成熟化が、ネットワークを構築する初期に大きい挑戦に臨んでいる。ネットワークの配置を最適化し、ネットワーク側のシステム機器とユーザ機器（User  Equipｍent、ＵＥ）の性能を向上させる一方、ユーザのフィーリングから、ユーザの業務利用に対するフィーリング、業務サービスに対するフィーリング、業務課金に対するフィーリングを向上させる必要がある。
【０００３】
ＴＤ−ＳＣＤＭＡネットワークは、２００７年第１期の都市ネットワークが構築されて産業用化されてから今まで、ネットワックの運行依拠であるネットワーク品質ＫＰＩ（キーポイント性能指標）体系の評価に注力し、ネットワーク機器及びネットワーク環境についての改善と最適化を行なった。しかし、従来のネットワークＫＰＩ指標が絶えずに向上できるにつれ、ユーザのフィーリング度が同期して向上できているのでなく、それは、利用者による不平が多くなり、ネットワーク通信量の増加が遅いように直接反映される。
【０００４】
ユーザによる業務利用フィーリングは、ユーザがフィーリングを評価する基礎で、製品の性能、品質に対するユーザの直接感覚で、真実の感覚と所望値との間に大きい差異があると、ユーザが当該製品の利用を放棄する恐れがある。
【０００５】
３Ｇネットワークは、２Ｇネットワークに比べ、カバー死角が存在し、ネットワーク構築後の初期は、ＧＳＭネットワークのカバー有利点を借りてＴＤのカバーを完全化しなければならないので、３Ｇネットワークと２Ｇネットワークの相互運用技術が発展してきた。デュアルモードユーザ機器は、需要に応じて、ユーザの異なる２/３Ｇネットワークでの平滑な相互運用を支援し、当該相互運用は、再選択とハンドオーバーとの二つを含む。再選択は、アイドル状態でシステム間でセルを取り替える行為を示し、ハンドオーバーは、接続状態でシステム間でセルを変更する行為を示す。
【０００６】
現在、ＴＤ−ＳＣＤＭＡ/ＧＳＭ相互運用には、ＴＤ−ＳＣＤＭＡとＧＳＭネットワークシステム間で再選択が頻繁であって、毎回の再選択の時間が長く、システムを再選択する時間において、ほとんどの時間はユーザがアクセスすることができない時間である問題が存在している。現在の測定によると、ＴＤ−ＳＣＤＭＡとＧＳＭの再選択時間は６〜１０秒に達していて、一部の未完全化の端末とネットワークの場合、再選択時間はさらに長く、２０秒以上に達し、つまり、６〜１０秒の時間でも実現不能で、呼び出されることがない。測定結果の統計によると、測定と位置領域の更新によって、ユーザがアクセスすることができなく、発呼不能総数の２０％以上に達し、２０％の未接続はＴＤ−ＳＣＤＭＡとＧＳＭの再選択又はハンドオーバープロセスの位置更新によるものである。ＴＤ−ＳＣＤＭＡとＧＳＭで頻繁に再選択すると、端末のフリーズ又はネットワークとの離脱などが発生する。
【０００７】
上記問題に対し、ネットワーク配置、ネットワーク融合などの措置をとっていた。システム間の頻繁の相互運用を避けるため、ネットワークを配置する際、できるだけホットスポットの連続カバーを実現する必要がある。ＴＤ−ＳＣＤＭＡとＧＳＭネットワークシステム間で頻繁にハンドオーバーすることによる再選択を減少し、ホットスポットとカバー領域によってシステム間の再選択のフリークエンシーを減少し、ネットワーク融合は、無線ネットワークの融合によって実現し、革新型インターフェースによりハンドオーバー時間を節約し、ユーザのフィーリングを向上させる。
【０００８】
しかし、如何にネットワークのデータ収集に基づいてシステム間の再選択フリークエンシーを分析し、ネットワークのカバー領域の配置及びネットワーク融合建設企画を指導し、ユーザのフィーリングを向上するかについて、既存技術に具体的な解決案が提示されていない。
【発明の概要】
【発明が解決しようとする課題】
【０００９】
本発明は、ネットワーク構築後の初期に２Ｇと３Ｇネットワークにより異なる位置領域に配置された場合、３Ｇネットワークを構築する際、デュアルモードのユーザ機器によるシステム間での再選択フリークエンシーを統計分析するシステム間の再選択フリークエンシーの統計方法及び装置を提供することを目的とする。
【課題を解決するための手段】
【００１０】
上記目的を実現するため、本発明の技術案は以下のように実現できる。
無線ネットワークコントローラ（ＲＮＣ）が、ネットワークのユーザの発呼プロセスが位置領域の更新及び/又はルーティング領域の更新プロセスであるユーザログを収集するステップと、前記ユーザログが、少なくとも、発呼セルが所属する位置領域のマーク（Location  Area  identification、ＬＡＩ）及び対応する位置領域の更新情報及び/又は発呼セルが所属するルーティング領域のマーク（Routing  Area  identification、ＲＡＩ）及び対応するルーティング領域の更新情報と、発呼セルマークと、発呼時刻と、ユーザマークとを含み、前記位置領域の更新情報が位置領域の更新タイプ及び更新前の元のＬＡＩを携帯し、前記ルーティング領域の更新情報がルーティング領域の更新タイプ及び更新前の元のＲＡＩを携帯し、
所定の期間内において、前記ユーザログ中の位置領域の更新プロセスがシステム間のＬＡＩ更新に所属し、及び/又はルーティング領域の更新プロセスがシステム間のＲＡＩ更新に所属するシステム間の再選択回数を統計し、前記所定の期間におけるシステム間の再選択フリークエンシーの統計値を取得するステップとを含むシステム間の再選択フリークエンシーの統計方法。
【００１１】
また、前記ＲＮＣは、非アクセス層の位置領域の更新メッセージ及び/又は非アクセス層のルーティング領域の更新メッセージのデコードを支援する。
【００１２】
また、前記ＲＮＣは、位置領域の更新タイプが正常の位置領域の更新タイプ及び/又はルーティング領域の更新タイプが正常のルーティング領域の更新タイプであるユーザログのみを収集する。
【００１３】
また、ユーザログがルーティング領域の更新情報と位置領域の更新情報を同時に含む場合、位置領域の更新情報のみに従って前記システム間で再選択フリークエンシーの統計を行う。
【００１４】
また、前記ユーザログ中の位置領域の更新プロセスがシステム間のＬＡＩ更新に所属し、及び/又はルーティング領域の更新プロセスがシステム間のＲＡＩ更新に所属するシステム間の再選択回数を統計する方法は、
それぞれ、システム間のネットワークモード照合テーブルからユーザログにおける発呼セルが所属するＬＡＩと位置領域の更新情報中の更新前の元のＬＡＩに対応するシステムネットワークモードを検索し、両方に対応するシステムネットワークモードが異なると、前記システム間で再選択フリークエンシー統計値を累積し、
それぞれ、システム間のネットワークモード照合テーブルからユーザログにおける発呼セルが所属するＲＡＩとルーティング領域の更新情報中の更新前の元のＲＡＩに対応するシステムネットワークモードを検索し、両方に対応するシステムネットワークモードが異なると、前記システム間の再選択フリークエンシーの統計値を累積する。
【００１５】
また、前記方法は、
各ユーザに前記所定の期間におけるシステム間の再選択フリークエンシーの統計を行って、各ユーザの統計結果記録を生成するステップと、前記所定の期間におけるユーザによるシステム間の再選択フリークエンシーの統計値が予め設定した異なる早期警戒閾値を超えると、前記統計結果記録で対応する専門家によるヒントを与えるステップとをさらに含む。
【００１６】
また、前記方法は、ＲＮＣが収集したネットワーク内のユーザの発呼プロセスが位置領域の更新及び/又はルーティング領域の更新プロセスであるユーザログ及び前記統計結果記録に基づいて、セル、セル組、端末タイプ、ユーザ組又は期間をキーワードとした多元分類統計を行うステップをさらに含む。
【００１７】
上記方法に基づいて、本発明によると、ＲＮＣに位置され、ネットワークのユーザの発呼プロセスが位置領域の更新及び/又はルーティング領域の更新プロセスであるユーザログを収集する収集ブロックと、所定の期間内において、ユーザログ中の位置領域の更新プロセスがシステム間のＬＡＩ更新に所属され、及び/又はルーティング領域の更新プロセスがシステム間のＲＡＩ更新に所属されるシステム間の再選択回数を統計し、前記所定の期間におけるシステム間の再選択フリークエンシーの統計値を取得するフリークエンシー統計ブロックと、を備え、前記ユーザログが、少なくとも、発呼セルが所属するＬＡＩ及び対応する位置領域の更新情報及び/又は発呼セルが所属するＲＡＩ及び対応するルーティング領域の更新情報と、発呼セルのマークと、発呼時刻と、ユーザマークとを含み、前記位置領域の更新情報が、位置領域の更新タイプ及び更新前の元のＬＡＩを携帯し、前記ルーティング領域の更新情報が、ルーティング領域の更新タイプ及び更新前の元のＲＡＩを携帯する、システム間の再選択フリークエンシーの統計装置を提供する。
【００１８】
また、前記収集ブロックは、位置領域の更新タイプが正常の位置領域の更新タイプ及び/又はルーティング領域の更新タイプが正常のルーティング領域の更新タイプであるユーザログのみを収集し、
前記ユーザログが、ルーティング領域の更新情報と位置領域の更新情報を同時に含むと、前記フリークエンシー統計ブロックが、位置領域の更新情報のみに従って前記システム間の再選択フリークエンシーの統計を行う。
【００１９】
また、前記フリークエンシー統計ブロックが、ユーザログ中の位置領域の更新プロセスがシステム間のＬＡＩ更新に所属し、及び/又はルーティング領域の更新プロセスがシステム間のＲＡＩ更新に所属するシステム間の再選択回数を統計する方法は、
前記フリークエンシー統計ブロックが、それぞれ、システム間のネットワークモード照合テーブルからユーザログにおける発呼セルが所属するＬＡＩと位置領域の更新情報中の更新前の元のＬＡＩに対応するシステムネットワークモードを検索し、両方に対応するシステムネットワークモードが同一であるか否かを判定し、異なると前記システム間の再選択フリークエンシー統計値を累積し、
前記フリークエンシー統計ブロックが、それぞれ、システム間のネットワークモード照合テーブルからユーザログ中の発呼セルが所属するＲＡＩとルーティング領域の更新情報中の更新前の元のＲＡＩに対応するシステムネットワークモードを検索し、両方に対応するシステムネットワークモードが同一であるか否かを判定し、異なると前記システム間の再選択フリークエンシーの統計値を累積する。
【００２０】
また、前記フリークエンシー統計ブロックは、各ユーザに前記所定の期間におけるシステム間の再選択フリークエンシーの統計を行って、各ユーザの統計結果記録を生成し、前記所定の期間におけるユーザによるシステム間の再選択フリークエンシーの統計値が予め設定した異なる早期警戒閾値を超えると、前記統計結果記録に対応する専門家によるヒントを与える。
【００２１】
また、前記装置は、
収集ブロックが収集したネットワーク内のユーザの発呼プロセスが位置領域の更新及び/又はルーティング領域の更新プロセスであるユーザログ及びフリークエンシー統計ブロックが生成した統計結果記録に基づいて、セル、セル組、端末タイプ、ユーザ組又は期間をキーワードとした多元分類統計を行う分類統計ブロックをさらに含む。
【発明の効果】
【００２２】
本発明によると、ネットワーク構築後の初期に２Ｇと３Ｇネットワークによって異なる位置領域に配置された場合、無線ネットワーク制御システムによってデータ収集を行って、ＵＥの位置領域又はルーティング領域の更新ログを統計して分析し、ネットワーク側シグナルモニター及び分析システムが多元分類を行うことによって、統計の角度から、３Ｇネットワークを構築する際、デュアルモードのユーザ機器によるシステム間の再選択フリークエンシーの分布を反映し、ネットワークカバー領域の配置及びネットワーク融合建設企画を指導し、ユーザのフィーリングを向上できる。
【図面の簡単な説明】
【００２３】
【図１】本発明に係わるシステム間の再選択フリークエンシーの統計方法を示すフローチャートである。
【図２】本発明の実施例に係わるシステム間の再選択フリークエンシーの統計方法を示すフローチャートである。
【図３】本発明に係わる再選択フリークエンシーの統計アルゴリズムを示す図である。
【図４】本発明に係わるシステム間の再選択フリークエンシーの分析装置の論理構造を示す図である。
【発明を実施するための形態】
【００２４】
以下、まず本発明の実現原理及び基本思想を説明する。
無線ネットワークコントローラ（ＲＮＣ）は、ネットワーク側のシステム機器の中間リンクとして、Ｕｕインターフェース（ＲＮＣとＵＥ間のインターフェース）無線リソース及びＩｕｂ（ＲＮＣと基地局Ｎｏｄｅ  Ｂ間のインターフェース）、Ｉｕ（ＲＮＣとコアネットワークＣＮ間のインターフェース）、Ｉｕｒインターフェース（ＲＮＣとＲＮＣ間のインターフェース）の陸上伝送キャリアリソースの管理及び割り当てを担当している。ＲＮＣは、ユーザによる発呼プロセスの、ネットワークにおけるシグナルとデータキャリア構築及び伝送プロセスを全て記録及びトラッキングを行い、ＲＮＣはネットワーク全体における異なる端末類型のユーザを対象とするものであるので、ＲＮＣによってデータ収集を行って、ネットワーク側シグナルモニター及び分析システムによって収集したデータを処理し、高速且つ正確にネットワーク側のシステム機器、ユーザ機器及び無線環境カバーの問題の位置測定を行うことができる。
【００２５】
本発明の基本思想は、ＲＮＣがユーザログを収集し、ネットワーク側シグナルモニター及び分析システムがユーザログの統計及び分析を行って、ネットワーク構築後の初期に２Ｇと３Ｇネットワークにて異なる位置領域に企画されたことに基づいて、ユーザによる位置領域の変更前とその後のＬＡＩ又はＲＡＩに対応するネットワークモードが同一であるか否かに基づいてユーザがシステム間の再選択を行っているか否かを判定し、システム間の再選択フリークエンシーを統計し、統計角度から一定の領域内のシステム間で再選択フリークエンシーの確率分布を反映し、ネットワーク配置及びネットワークの融合企画建設を指導する。
【００２６】
以下、図面を結合して技術案の実施を詳しく説明する。
図１は、本発明に係わるシステム間の再選択フリークエンシーの統計方法を示すフローチャートで、以下のステップを含む。
【００２７】
無線ネットワークコントローラは、ネットワーク内のユーザの発呼プロセスが位置領域の更新及び/又はルーティング領域の更新プロセスであるユーザログを収集し（ステップ１０２）、そのうち、各ユーザログは、少なくとも、発呼セルが所属する位置領域のマーク（ＬＡＩ）及び対応する位置領域の更新情報及び/又は発呼セルが所属するルーティング領域のマーク（ＲＡＩ）及び対応するルーティング領域の更新情報と、発呼セルマークと、発呼時刻及びユーザマークとを含む。
【００２８】
そのうち、前記位置領域の更新情報は、位置領域の更新タイプ及び更新前の元のＬＡＩを携帯し、前記位置領域の更新タイプは、正常の位置領域の更新と、周期的な位置領域の更新と、国際移動ユーザ識別子（ＩＭＳＩ）附着位置領域の更新等の三つのタイプを含む。
【００２９】
前記ルーティング領域の更新情報は、ルーティング領域の更新タイプ及び更新前の元のＲＡＩを携帯し、前記ルーティング領域の更新タイプは、正常のルーティング領域の更新と、周期的なルーティング領域の更新と、ＩＭＳＩ附着ルーティング領域の更新等の三つのタイプを含む。
【００３０】
ＲＮＣが、位置領域の更新タイプが正常の位置領域の更新タイプで、ルーティング領域の更新タイプが正常のルーティング領域の更新タイプであるユーザログのみを収集することが好ましい。
【００３１】
そのうち、前記発呼セルのマークは、ユーザが発呼アクセス時のサービングセルのマークを示す。
【００３２】
そのうち、前記ユーザマークは、ＩＭＳＩと、国際移動機器身分識別子（ＩＭＥＩ）等を含む。
【００３３】
そのうち、前記発呼時刻は、ＵＥから送信されたＲＲＣ接続要求をＲＮＣが受信した時刻を示す。
【００３４】
無線ネットワークコントローラが、非アクセス層の位置領域の更新及び/又は非アクセス層のルーティング領域の更新メッセージのデコードを支援し、前記位置領域の更新情報及びルーティング領域の更新情報を取得して記憶することが好ましい。
【００３５】
所定の期間内において、システム間の再選択フリークエンシーの統計間隔に従って区画し、各区間においてユーザログにおける位置領域の更新プロセスがシステム間のＬＡＩ更新に所属するフリークエンシー及び/又はルーティング領域の更新プロセスがシステム間のＲＡＩ更新に所属するフリークエンシーを統計し、各区間のシステム間の再選択フリークエンシーの統計値を生成し、全てのシステム間の再選択フリークエンシーの統計間隔区間内のシステム間の再選択フリークエンシーの統計値を累積して、前記所定の期間におけるシステム間の再選択フリークエンシーの統計値を取得する（ステップ１０４）。
【００３６】
そのうち、前記システム間の再選択フリークエンシーの統計間隔は、システム間の再選択を許可しない時間長さを指す。
【００３７】
そのうち、前記システム間のＬＡＩ更新の識別方法は、それぞれ、システム間のネットワークモード照合テーブルからユーザログにおける発呼セルが所属するＬＡＩと位置領域の更新情報中の更新前の元のＬＡＩに対応するシステムネットワークモードを検索し、両方に対応するシステムネットワークモードが異なると、ユーザログにおける位置領域の更新プロセスがシステム間のＬＡＩ更新に所属すると判定し、
そのうち、前記システム間のＲＡＩ更新の識別方法は、それぞれ、システム間のネットワークモード照合テーブルからユーザログにおける発呼セルが所属するＲＡＩと位置領域の更新情報中の更新前の元のＲＡＩに対応するシステムネットワークモードを検索し、両方に対応するシステムネットワークモードが異なると、ユーザログにおけるルーティング領域の更新プロセスがシステム間のＲＡＩ更新に所属すると判定し、
そのうち、ＬＡＩ又はＲＡＩが所属されるシステム間のネットワークモード照合テーブルは、ネットワーク側シグナルモニター及び分析システムによってその保守及び管理を担う。
【００３８】
ユーザログがパケット交換ドメイン（packet-switched domain）のルーティング領域の更新情報と回線交換ドメイン（circuit-switched domain）の位置領域の更新情報を同時に含む場合、回線交換ドメインの位置領域の更新情報のみに基づいてシステム間で再選択フリークエンシーの統計を行うことが好ましい。
【００３９】
該ステップは、ユーザ毎に前記所定の期間及びシステム間の再選択フリークエンシーの統計間隔区間におけるシステム間の再選択フリークエンシーの統計を行って、ユーザ毎の統計結果記録を生成することが好ましく、前記統計結果記録は、少なくとも、ユーザマーク及び前記所定の期間及びシステム間の再選択フリークエンシーの統計間隔区間におけるシステム間の再選択フリークエンシーの統計値を含み、前記統計結果記録は後続の分類統計に用いられる。
【００４０】
ＲＮＣが収集した、ネットワーク内のユーザの発呼プロセスが位置領域の更新及び/又はルーティング領域の更新プロセスであるユーザログ及びステップ１０４で生成された統計結果記録に基づいて、セル、セル組、端末タイプ、ユーザ組又は期間をキーワードとした多元分類統計を行って、ネットワーク領域、ユーザ機器タイプ、又は期間に基づくシステム間の再選択フリークエンシーの確率分布を取得し、ネットワーク配置の最適化及び端末性能の最適化の早期警戒の提示を指導する（ステップ１０６）。
【００４１】
そのうち、ユーザ機器タイプは、ユーザマークにおけるＩＭＥＩの前の８ビットの数字によって決定され、該数字はＴＡＣ（Type  Approval  Code、機器規格の許可番号である）とＦＡＣ（Final  Assembly  Code、最後の組み立て番号である）情報を含み、ユーザ機器のタイプ身分を示す。
【００４２】
図２は、本発明に係わるシステム間の再選択フリークエンシーの統計方法の具体的な実施例を示すフローチャートで、以下のステップを含む。
【００４３】
ＲＮＣは、ネットワーク内のユーザの発呼プロセスが位置領域の更新又はルーティング領域の更新プロセスであるユーザログを収集する（ステップ２０１）。
【００４４】
本発明において、生成されるユーザログは、発呼セルが所属するＬＡＩ及びＲＡＩと、ルーティング領域の更新情報及び位置領域の更新情報と、発呼セルと、発呼時刻と、ユーザマークとを含む。
【００４５】
３Ｇネットワークにおいて、ＵＥが発呼を発するとは、ネットワーク側へ無線リソース制御（ＲＲＣ：Radio  Resource  Control）接続要求を発することを示す。ＲＮＣは、非アクセス層の位置領域の更新メッセージ及び/又はルーティング領域の更新メッセージの基準シグナルのデコードを支援し、位置領域の更新及びルーティング領域の更新の情報を記憶する。
【００４６】
発呼セルが所属するＬＡＩ及びＲＡＩがいずれも、ＵＥに無線ネットワークとのＲＲＣ接続要求を構築することを指示する場合、サービングセルがＬＡＩ及びＲＡＩに所属している。
【００４７】
ＵＥのマーク情報は、ユーザの電話番号、国際移動ユーザ識別子（ＩＭＳＩ）、国際移動体装置識別番号（ＩＭＥＩ）、無線ネットワーク一時マーク（Ｕ−ＲＮＴＩ）、セル無線ネットワーク一時マーク（Ｃ−ＲＮＴＩ）、パケット一時移動体加入者アイデンティティ（Ｐ−ＴＭＳＩ）、一時移動体加入者アイデンティティ（ＴＭＳＩ）のうちの一つを含み、Ｐ−ＴＭＳＩとＴＭＳＩの場合、ＵＥのマーク情報は二つのうちの一つのみを含むことができる。
【００４８】
ネットワーク側シグナルモニター及び分析システムは、ユーザによるシステム間の再選択フリークエンシーの統計を行う前の初期化を行って、システム間の再選択フリークエンシーの統計期間Ｔ１、システム間の再選択フリークエンシーの統計間隔Ｔ２、システム間の再選択フリークエンシーの早期警戒閾値又は区間、Ｔ１に対するカウンターＢと各統計間隔に対するカウンターＢ(ｉ)を設定し、上記変数パラメータを初期化する（ステップ２０２）。
【００４９】
ネットワーク側シグナルモニター及び分析システムは、位置領域又はルーティング領域に所属されるシステム間のネットワークモード照合テーブルの保守を支援し、ＬＡＩ又はＲＡＩが所属される異なるシステム間のネットワークモードの検索に用いられる。
【００５０】
システム間の再選択フリークエンシーの統計期間Ｔ１を設定し、システム間の再選択フリークエンシーの統計間隔Ｔ２に基づいて区画する。例えば、Ｔ１の時間単位は日であることができる。
【００５１】
図３に示すように、所定の期間Ｔ１を設定し、間隔Ｔ２に基づいて区画し、Ｔ２は、システム間の再選択を許可しない時間長さを示し、且つＴ１はＴ２の整数倍である。
【００５２】
ユーザによるシステム間の再選択フリークエンシーの早期警戒閾値Ｔ３又は区間Ｔ３-Ｔ４を設定し、異なる早期警戒閾値又は早期警戒閾値区間について、一つのユーザによるＴ１又はＴ２統計期間におけるシステム間の再選択フリークエンシーの累積値が早期警戒閾値を超える場合、又は早期警戒閾値区間内である場合、統計結果記録に専門家によるヒントを与え、前記専門家によるヒントは、例えばフリークエンシーが正常、フリークエンシーが高い、フリークエンシーが高すぎるなどである。
【００５３】
Ｔ１に対するユーザによるシステム間の再選択フリークエンシーカウンターＢ及び各Ｔ２間隔に対するユーザによるシステム間の再選択フリークエンシーカウンターＢ(ｉ)を設置し、そのうち、ｉ＝０…（（Ｔ１/Ｔ２）-１）で、統計を開始するときに０に初期化する。
【００５４】
ネットワーク側シグナルモニター及び分析システムは、Ｔ１期間における各Ｔ２(ｉ)間隔を選択し、ネットワークのユーザログに基づいて、各Ｔ２(ｉ)内の初めのユーザログの記録に従って生成した後、ｍ回の正常の位置領域の更新プロセスを発生したユーザログを検索し、そのうち、発呼セルが所属するＬＡＩと位置領域の更新情報中の元のＬＡＩが異なるシステムネットワークモードに所属すると、Ｔ２(ｉ)内のユーザのシステム間の再選択フリークエンシーカウンターＢ(ｉ)はｍであって、同じく、ｎ回の正常のルーティング領域の更新プロセスを発生したユーザログを検索し、そのうち、発呼セルが所属するＲＡＩとルーティング領域の更新情報中の元のＲＡＩが異なるシステムネットワークモードに所属すると、Ｔ２(ｉ)内のユーザのシステム間の再選択フリークエンシーカウンターＢ(ｉ)はｎである（ステップ２０３）。
【００５５】
ユーザログが、パケット交換ドメインのルーティング領域の更新情報と回線交換ドメインの位置領域の更新情報を同時に含む場合、回線交換ドメインの位置領域の更新情報のみに従ってシステム間の再選択フリークエンシーの統計を行い、即ち、Ｔ２(ｉ)期間内において、ｍ回の正常の位置領域の更新とｎ回の正常のルーティング領域の更新が検索されると、Ｔ２(ｉ)内のユーザのシステム間の再選択フリークエンシーカウンターＢ(ｉ)はｍ＋ｎ以下である。
【００５６】
該ステップにおいて、ネットワーク側シグナルモニター及び分析システムは、各Ｔ２(ｉ)間隔内のシステム間の再選択フリークエンシーの統計を、ｉ＝（（Ｔ１/Ｔ２）−１）であるまで循環して行う。
【００５７】
（（Ｔ１/Ｔ２）−１）個の全てのＴ２時間間隔内のカウンターＢ(ｉ)の累積結果をカウンターＢとし、Ｔ１期間のＵＥシステム間の再選択フリークエンシーの統計値を得る（ステップ２０４）。
【００５８】
各ユーザの該Ｔ１期間のカウンターＢをＴ３と比較し、又はＴ３−Ｔ４区間内であるか否かを判定し、カウンターＢがＴ３を超える、又はＴ３−Ｔ４内であると、専門家によるヒントを与えるとともに、対応する統計結果記録を生成し（ステップ２０５）、前記統計結果記録は、少なくとも、ユーザマークと、各Ｔ２間隔のシステム間の再選択フリークエンシーの統計値及び/又はＴ１期間におけるシステム間の再選択フリークエンシーの統計値を含む。
【００５９】
ネットワーク側シグナルモニター及び分析システムは、上記統計結果記録及びユーザログを取得したことを基に、セル、セル組、端末タイプ、時間に従って分類して統計を行う（ステップ２０６）。ＩＭＥＩは端末規格と製造者を示すものである。従って、異なる角度から、ネットワークカバー領域の配置が不合理的であることにより領域又はユーザ機器の性能に異常が発生しシステム間で再選択を頻繁に行う現象を反映した。
【００６０】
ネットワーク側シグナルモニター及び分析システムは、統計結果を展示する（ステップ２０７）。
【００６１】
上記方法に基づいて、本発明によるとシステム間の再選択フリークエンシーを統計する装置を提供し、図４に示すように、収集ブロックと、フリークエンシー統計ブロックと、分類統計ブロックとを含む。
具体的には、収集ブロックは、ＲＮＣに位置され、ネットワーク内のユーザの発呼プロセスが位置領域の更新及び/又はルーティング領域の更新プロセスであるユーザログを収集する。前記ユーザログは、少なくとも、発呼セルが所属するＬＡＩ及び対応する位置領域の更新情報及び/又は発呼セルが所属するＲＡＩ及び対応するルーティング領域の更新情報と、ルーティング領域の更新情報及び/又は位置領域の更新情報と、発呼セルのマークと、発呼時刻と、ユーザマークとを含む。前記位置領域の更新情報は、位置領域の更新タイプ及び更新前の元のＬＡＩを携帯し、前記ルーティング領域の更新情報は、ルーティング領域の更新タイプ及び更新前の元のＲＡＩを携帯する。
【００６２】
フリークエンシー統計ブロックは、シグナルモニター及び分析システムに位置され、所定の期間内において、ユーザログ中の位置領域の更新プロセスがシステム間のＬＡＩ更新に所属し及び/又はルーティング領域の更新プロセスがシステム間でＲＡＩ更新に所属するシステム間の再選択回数を統計し、前記所定の期間におけるシステム間の再選択フリークエンシーの統計値を取得する。
【００６３】
また、前記収集ブロックは、位置領域の更新タイプが正常の位置領域の更新タイプ及び/又はルーティング領域の更新タイプが正常のルーティング領域の更新タイプであるユーザログのみを収集し、ＲＮＣのユーザログ記憶用の空間を節約し、収集効率を向上できる。
【００６４】
また、前記ユーザログがルーティング領域の更新情報と位置領域の更新情報を同時に含む場合、前記フリークエンシー統計ブロックは、位置領域の更新情報のみに従って前記システム間の再選択フリークエンシーの統計を行う。
【００６５】
また、前記フリークエンシー統計ブロックは、以下の方式でユーザログにおける位置領域の更新プロセスがシステム間のＬＡＩ更新に所属する及び/又はルーティング領域の更新プロセスがシステム間のＲＡＩ更新に所属するシステム間の再選択回数を統計する：
前記フリークエンシー統計ブロックは、それぞれ、システム間のネットワークモード照合テーブルからユーザログにおける発呼セルが所属するＬＡＩと位置領域の更新情報中の更新前の元のＬＡＩに対応するシステムネットワークモードを検索し、両方に対応するシステムネットワークモードが同一であるか否かを判定し、異なる場合、前記システム間の再選択フリークエンシーの統計値を累積し、
前記フリークエンシー統計ブロックは、それぞれ、システム間のネットワークモード照合テーブルからユーザログにおける発呼セルが所属するＲＡＩと位置領域の更新情報中の更新前の元のＲＡＩに対応するシステムネットワークモードを検索し、両方に対応するシステムネットワークモードが同一であるか否かを判定し、異なる場合、前記システム間の再選択フリークエンシーの統計値を累積する。
【００６６】
また、前記フリークエンシー統計ブロックは、各ユーザについて前記所定の期間におけるシステム間の再選択フリークエンシーの統計を行って、各ユーザの統計結果記録を生成する。前記所定の期間におけるユーザによるシステム間の再選択フリークエンシーの統計値が予め設定した異なる早期警戒閾値を越えると、前記統計結果記録に対応する専門家によるヒントを与える。
【００６７】
分類統計ブロックは、シグナルモニター及び分析システムに位置され、収集ブロックが収集したネットワーク内のユーザの発呼プロセスが位置領域の更新及び/又はルーティング領域の更新プロセスであるユーザログ及びフリークエンシー統計ブロックが生成した統計結果記録に基づいて、セル、セル組、端末タイプ、ユーザ組又は期間をキーワードとする多元分類統計を行う。
【００６８】
本発明によると、ＲＮＣがネットワーク内のユーザの発呼プロセスにおけるユーザログを収集し、シグナルモニター及び分析システムは本発明による統計アルゴリズムに従って多元分類統計を行うことによって、一定の統計周期においてネットワーク領域又はユーザ機器タイプに基づくシステム間の再選択フリークエンシーの確率分布動向を取得し、ネットワーク配置の最適化及び端末性能の最適化のための早期警戒提示を指導することができる。コアネットワークのデータ収集分析に比べ、本発明による分析粒度はセルレベルに達し、ネットワークカバー領域の配置及びネットワーク融合建設企画を指導し、ユーザのフィーリングを向上させる。
【００６９】
以上は、本発明の好適な実施例に過ぎず、本発明の保護範囲を限定するものではない。
【図１】
0005636494.tif 000002
【図２】
0005636494.tif 000003
【図３】
0005636494.tif 000004
【図４】
0005636494.tif 000005